(57)【特許請求の範囲】
【請求項１】
開口した筒状部を有する中空容器本体と；
第１の蓋素材の一面に上記開口よりも大きな非結合部を伴って第２の蓋素材を結合し、上記非結合部の周囲に第1の蓋素材と第２の蓋素材との結合部を残して上記非結合部を取り囲むよう切り取られることにより形成されており、上記非結合部を中心にして中空容器本体の上記開口の周縁よりも外方に広がっている部分を第１の蓋素材側に折り曲げて上記開口に嵌合され、上記非結合部の周囲の上記結合部を上記筒状部の内表面に対応させた状態で上記開口に嵌合された折り曲げ部分を上記筒状部の内表面に結合されている蓋部材と；そして、
上述した如く結合された中空容器本体の上記筒状部と上記蓋部材の折り曲げ部分の第２の蓋素材とに上記非結合部に対応させて上記筒状部の全周の少なくとも一部に渡り延出して形成された強度弱化線と；
を備えており、
上記中空容器本体の内部空間には、上記開口に上記蓋部材が嵌合される以前に上記開口を介して充填物が充填される、ことを特徴とする中空容器。
【請求項２】
開口した筒状部を有する中空容器本体と；
第１の蓋素材の一面に上記開口の周縁に実質的に等しい位置から上記開口の周縁よりも外方に所定距離離れた位置まで上記周縁に沿い環状に広がる非結合部を伴って第２の蓋素材を結合し、上記非結合部の周囲に第１の蓋素材と第２の蓋素材との結合部を残して上記非結合部を取り囲むよう切り取られることにより形成され、上記非結合部に囲まれた結合部を中心にして中空容器本体の上記開口の周縁よりも外方に広がっている部分を第１の蓋素材側に折り曲げて上記開口に嵌合され、上記非結合部の周囲の結合部を上記筒状部の内表面に対応させた状態で上記開口に嵌合された折り曲げ部分を上記筒状部の内表面に結合されている蓋部材と；そして、
上述した如く結合された中空容器本体の上記筒状部または上記筒状部と上記蓋部材の折り曲げ部分の第２の蓋素材とに上記非結合部に対応させて上記筒状部の全周の少なくとも一部に渡り延出して形成された強度弱化線と；
を備えており、
上記中空容器本体の内部空間には、上記開口に上記蓋部材が嵌合される以前に上記開口を介して充填物が充填される、ことを特徴とする中空容器。
【請求項３】
開口した筒状部を有する中空容器本体を準備する工程と；
第１の蓋素材の一面に上記開口よりも大きな非結合部を伴って第２の蓋素材を結合し、上記中空容器本体の上記開口の為の蓋部材の素材を準備する工程と；
上記素材を、上記非結合部の周囲に第１の蓋素材と第２の蓋素材との結合部を残して上記非結合部を取り囲むよう切り取り上記蓋部材を準備する工程と；
上記蓋部材を上記非結合部を中心にして中空容器本体の上記開口の周縁よりも外方に広がっている部分を第１の蓋素材側に折り曲げて上記開口に嵌合させ、上記非結合部の周囲の上記結合部を上記筒状部の内表面に対応させる工程と；
中空容器本体の上記開口に嵌合された上記蓋部材の折り曲げ部分を上記筒状部の内表面に結合させる工程と；そして、
上述した如く結合された中空容器本体の上記筒状部と上記蓋部材の折り曲げ部分の第２の蓋素材とに上記非結合部に対応させて上記筒状部の全周の少なくとも一部に渡り延出した強度弱化線を形成する工程と；
を備えており、
上記中空容器本体の内部空間には、上記開口に上記蓋部材が嵌合される以前に上記開口を介して充填物が充填される、ことを特徴とする中空容器の製造方法。
【請求項４】
開口した筒状部を有する中空容器本体を準備する工程と；
第１の蓋素材の一面に上記開口の周縁に実質的に等しい位置から上記開口の周縁よりも外方に所定距離離れた位置まで上記周縁に沿い環状に広がる非結合部を伴って第２の蓋素材を結合し、上記中空容器本体の上記開口の為の蓋部材の素材を準備する工程と；
上記素材を、上記非結合部の周囲に第１の蓋素材と第２の蓋素材との結合部を残して上記非結合部を取り囲むよう切り取り上記蓋部材を準備する工程と；
上記蓋部材を上記非結合部に囲まれた結合部を中心にして中空容器本体の上記開口の周縁よりも外方に広がっている部分を第１の蓋素材側に折り曲げて上記開口に嵌合させ、上記非結合部の周囲の結合部を上記筒状部の内表面に対応させる工程と；
中空容器本体の上記開口に嵌合された上記蓋部材の折り曲げ部分を上記筒状部の内表面に結合させる工程と；そして、
上述した如く結合された中空容器本体の上記筒状部または上記筒状部と上記蓋部材の折り曲げ部分の第２の蓋素材とに上記非結合部に対応させて上記筒状部の全周の少なくとも一部に渡り延出した強度弱化線を形成する工程と；
を備えており、
上記中空容器本体の内部空間には、上記開口に上記蓋部材が嵌合される以前に上記開口を介して充填物が充填される、ことを特徴とする中空容器の製造方法。
【発明の詳細な説明】
【０００１】
【発明の属する技術分野】
この発明は、中空容器及び中空容器の製造方法に関係しており、より詳細には、開口した筒状部を有している中空容器本体と、この中空容器本体の上記開口を閉鎖しており一旦開封された後には上記開口に対し開閉可能な蓋部材とを伴った中空容器及びこのような蓋部材を伴った中空容器の製造方法に関係している。
【０００２】
【従来の技術】
このような中空容器及びこのような中空容器の製造方法は、例えば特開平７−２５７５４３号公報から知られている。
【０００３】
特開平７−２５７５４３号公報の中空容器の製造方法では、まず最初に、内表面がプラスチック膜により被覆されている円筒形状の中空容器本体が準備される。次に、この中空容器本体の両端部の開口の夫々に、この開口よりも大きく、しかし相互に大きさが異なっている２つの蓋素材を、大きさの小さな蓋素材が開口の内方になるよう絞り加工により相互に重ねた状態で挿入する。次に、絞り加工された２つの蓋素材の中の内方の小さな蓋素材の筒状部を中空容器本体の対応する端部の内表面のプラスチック膜を溶かして固定し、また外方の大きな蓋素材の筒状部の外端上に中空容器本体の対応する端部の外端を巻き掛けることにより外方の蓋素材の筒状部の外端を中空容器本体の対応する端部の外端に固定している。そして、このように固定された２つの蓋素材を中空容器本体の対応する端部を閉塞する蓋部材としている。最後に、中空容器本体の上記一端部に、外方の大きな蓋素材の筒状部にのみ対応した部分に上記一端部の全周にわたり延出し外方の大きな蓋素材の筒状部の近傍まで達する深さの切り込みが形成されている。そして、上記一端部を中空容器本体の残りの部分に対し相対的にねじることにより上記切り込みにおいて上記一端部を中空容器本体の残りの部分から容易にねじ切ることが出来る。この後、上記一端部を上記一端部に上述した如く固定されている外方の蓋素材とともに中空容器本体の残りの部分から分離し、残された第２の素材を破ることにより中空容器本体の残りの部分において分離された上記一端部に対応した開口を開放し、中空容器本体の内部空間へのアクセスを可能にしている。そして、中空容器本体の残りの部分の開口に対し上述した如く上記一端部に固定された第１の素材の筒状部を再度挿入することにより、上記開口を開放可能に閉塞することができる。
【０００４】
上述した先行技術においてはまた、上記切り込みを上記一端部の全周の一部を残し延出し外方の蓋素材の筒状部まで到達する深さの切り込みを形成することにより、上記一端部の全周で上記切り込みの残った部分を蝶番のように機能させて、上記一端部を上記一端部に上述した如く固定されている外方の蓋素材とともに中空容器本体の残りの部分に対し開閉自在にすることが出来る。
【０００５】
このような従来の中空容器の製造方法により製造される従来の中空容器は、紙のような安価な製造及びリサイクルが容易な材料により形成することが出来るという利点を有している。
【０００６】
【発明が解決しようとする課題】
しかしながら上述した如き従来の製造方法では、中空容器本体の両端部の夫々に深絞りにより挿入される２つの大きさの異なる蓋素材を相互に独立して準備しなければならないし、深絞り加工に際して上記２つの大きさの異なる蓋素材を相互に同心的に重複した状態で深絞り加工用のダイス孔に供給しなければならない。
【０００７】
そして、２つの大きさの異なる蓋素材を使用することにより生じるこれらの煩雑さが、上述した如き従来の製造方法の構成を複雑にし、上述した如き従来の製造方法により製造された中空容器の製造コストを上昇させている。
【０００８】
この発明は上記事情の下でなされ、この発明の目的は、上述した如き従来の製造方法に比べ中空容器の製造方法の構成を簡易にすることが出来、上述した如き従来の製造方法により製造された従来の中空容器よりも製造コストの安い中空容器を提供するとともに、このような中空容器を製造するための中空容器の製造方法を提供することである。
【０００９】
【課題を解決するための手段】
上述した如きこの発明の目的を達成するために、この発明に従った中空容器は：開口した筒状部を有する中空容器本体と；第１の蓋素材の一面に上記開口よりも大きな非結合部を伴って第２の蓋素材を結合し、上記非結合部の周囲に第1の蓋素材と第２の蓋素材との結合部を残して上記非結合部を取り囲むよう切り取られることにより形成されており、上記非結合部を中心にして中空容器本体の上記開口の周縁よりも外方に広がっている部分を第１の蓋素材側に折り曲げて上記開口に嵌合され、上記非結合部の周囲の上記結合部を上記筒状部の内表面に対応させた状態で上記開口に嵌合された折り曲げ部分を上記筒状部の内表面に結合されている蓋部材と；そして、上述した如く結合された中空容器本体の上記筒状部と上記蓋部材の折り曲げ部分の第２の蓋素材とに上記非結合部に対応させて上記筒状部の全周の少なくとも一部に渡り延出して形成された強度弱化線と；を備えており、上記中空容器本体の内部空間には、上記開口に上記蓋部材が嵌合される以前に上記開口を介して充填物が充填される、ことを特徴としている。
【００１０】
このような中空容器は、中空容器本体の筒状部の開口に挿入嵌合される蓋部材の第１及び第２の蓋素材が上記挿入前に相互に結合されていて上記挿入直前に同じ大きさに切り取られるので、相互に独立した大きさで相互に独立して準備されている必要がなく、前述した従来の中空容器の製造方法に比べ、本願発明に従った中空容器を製造する中空容器の製造方法の構成を簡易にし、ひいては本願発明に従った中空容器の製造コストを前述した従来の中空容器の製造方法により製造された従来の中空容器よりも安くする。
【００１１】
またこの中空容器においては、第１及び第２の蓋素材により形成された蓋部材が中央に第１及び第２の蓋素材の非結合部を有しているので、強度弱化線に従い中空容器本体の上記筒状部の外端部を第１の蓋素材と共に上記筒状部の残りの部分から分離すると、第２の蓋素材のみが上記筒状部の残りの部分に残る。そして、第２の蓋素材を破壊することにより、上記筒状部の残りの部分の開口を介して中空容器本体の内部空間にアクセス可能になる。中空容器本体の上記筒状部の外端部とともに上記筒状部の残りの部分から分離された第１の蓋素材は、上記筒状部の残りの部分に対して開閉自在な蓋部材を構成する。
【００１２】
上述した如きこの発明に従った中空容器を製造するためのこの発明に従った中空容器の製造方法は：開口した筒状部を有する中空容器本体を準備する工程と；第１の蓋素材の一面に上記開口よりも大きな非結合部を伴って第２の蓋素材を結合し、上記中空容器本体の上記開口の為の蓋部材の素材を準備する工程と；上記素材を、上記非結合部の周囲に第１の蓋素材と第２の蓋素材との結合部を残して上記非結合部を取り囲むよう切り取り上記蓋部材を準備する工程と；上記蓋部材を上記非結合部を中心にして中空容器本体の上記開口の周縁よりも外方に広がっている部分を第１の蓋素材側に折り曲げて上記開口に嵌合させ、上記非結合部の周囲の上記結合部を上記筒状部の内表面に対応させる工程と；中空容器本体の上記開口に嵌合された上記蓋部材の折り曲げ部分を上記筒状部の内表面に結合させる工程と；そして、上述した如く結合された中空容器本体の上記筒状部と上記蓋部材の折り曲げ部分の第２の蓋素材とに上記非結合部に対応させて上記筒状部の全周の少なくとも一部に渡り延出した強度弱化線を形成する工程と；を備えており、上記中空容器本体の内部空間には、上記開口に上記蓋部材が嵌合される以前に上記開口を介して充填物が充填される、ことを特徴としている。
【００１３】
このような中空容器の製造方法によれば、中空容器本体の筒状部の開口に挿入嵌合される第１及び第２の蓋素材は、上記挿入前に相互に結合されていて上記挿入直前に同じ大きさに切り取られるので、相互に独立した大きさで相互に独立して準備されている必要がなく、前述した従来の中空容器の製造方法に比べ構成が簡易である。
【００１４】
上述したこの発明の目的を達成するために本願の発明に従ったもう１つの中空容器は：開口した筒状部を有する中空容器本体と；第１の蓋素材の一面に上記開口の周縁に実質的に等しい位置から上記開口の周縁よりも外方に所定距離離れた位置まで上記周縁に沿い環状に広がる非結合部を伴って第２の蓋素材を結合し、上記非結合部の周囲に第１の蓋素材と第２の蓋素材との結合部を残して上記非結合部を取り囲むよう切り取られることにより形成され、上記非結合部に囲まれた結合部を中心にして中空容器本体の上記開口の周縁よりも外方に広がっている部分を第１の蓋素材側に折り曲げて上記開口に嵌合され、上記非結合部の周囲の結合部を上記筒状部の内表面に対応させた状態で上記開口に嵌合された折り曲げ部分を上記筒状部の内表面に結合されている蓋部材と；そして、上述した如く結合された中空容器本体の上記筒状部と上記蓋部材の折り曲げ部分とに上記非結合部に対応させて上記筒状部の全周の少なくとも一部に渡り延出して形成された強度弱化線と；を備えており、上記中空容器本体の内部空間には、上記開口に上記蓋部材が嵌合される以前に上記開口を介して充填物が充填される、ことを特徴としている。
【００１５】
このような本願のもう１つの発明の中空容器は、中空容器本体の筒状部の開口に挿入嵌合される蓋部材の第１及び第２の蓋素材が上記挿入前に相互に結合されていて上記挿入直前に同じ大きさに切り取られるので、相互に独立した大きさで相互に独立して準備されている必要がなく、前述した従来の中空容器の製造方法に比べ、本願発明に従ったこのもう１つの中空容器を製造する中空容器の製造方法の構成を簡易にし、ひいては本願発明に従ったこのもう１つの中空容器の製造コストを前述した従来の中空容器の製造方法により製造された従来の中空容器よりも安くするのは勿論のこと、前述したこの発明に従った中空容器に比べると、より頑丈な蓋部材を構成することが出来る。
【００１６】
上述した如きこの発明に従ったもう１つの中空容器を製造するためのこの発明に従ったもう１つの中空容器の製造方法は：開口した筒状部を有する中空容器本体を準備する工程と；第１の蓋素材の一面に上記開口の周縁に実質的に等しい位置から上記開口の周縁よりも外方に所定距離離れた位置まで上記周縁に沿い環状に広がる非結合部を伴って第２の蓋素材を結合し、上記中空容器本体の上記開口の為の蓋部材の素材を準備する工程と；上記素材を、上記非結合部の周囲に第１の蓋素材と第２の蓋素材との結合部を残して上記非結合部を取り囲むよう切り取り上記蓋部材を準備する工程と；上記蓋部材を上記非結合部に囲まれた結合部を中心にして中空容器本体の上記開口の周縁よりも外方に広がっている部分を第１の蓋素材側に折り曲げて上記開口に嵌合させ、上記非結合部の周囲の結合部を上記筒状部の内表面に対応させる工程と；中空容器本体の上記開口に嵌合された上記蓋部材の折り曲げ部分を上記筒状部の内表面に結合させる工程と；そして、上述した如く結合された中空容器本体の上記筒状部又は上記筒状部と上記蓋部材の折り曲げ部分の上記第２の蓋素材とに上記非結合部に対応させて上記筒状部の全周の少なくとも一部に渡り延出した強度弱化線を形成する工程と；を備えており、上記中空容器本体の内部空間には、上記開口に上記蓋部材が嵌合される以前に上記開口を介して充填物が充填される、ことを特徴としている。
【００１７】
本願の発明に従ったこのようなもう１つの中空容器の製造方法においても、中空容器本体の筒状部の開口に挿入嵌合される第１及び第２の蓋素材は、上記挿入前に相互に結合されていて上記挿入直前に同じ大きさに切り取られるので、相互に独立した大きさで相互に独立して準備されている必要がなく、前述した従来の中空容器の製造方法に比べ構成が簡易である。
【００１８】
またこのもう１つの中空容器の製造方法においては、第１及び第２の蓋素材が環状の非結合部の外側ばかりでなく内側にも結合部を有しているので強度弱化線に従い中空容器本体の上記筒状部の外端部を第１の蓋素材と共に上記筒状部の残りの部分から分離しようとすると第１の蓋素材と共に第２の蓋素材も上記筒状部の外端部から分離される。この結果、上記筒状部の残りの部分の開口を介して中空容器の内部空間にアクセス可能となり、また、中空容器本体の上記筒状部の外端部とともに第１の蓋素材と第２の蓋素材とが同時に上記筒状部の残りの部分に対して開閉自在な蓋部材を構成し、上記蓋部材の強度を向上させる。
【００１９】
以下、この発明の中空容器及び中空容器の製造方法の種々の実施の形態や変形例を添付の図面を参照しながら詳細に説明する。
【００２０】
【発明の実施の形態】
〔第１の実施の形態〕
最初は、添付の図面中の図１乃至図７を参照しながらこの発明の第１の実施の形態に従った中空容器及び中空容器の製造方法について詳細に説明する。
【００２１】
この第１の実施の形態に従った中空容器の製造方法では、まず第１に、図１中に縦断面が示されている如く、開口した筒状部１０ａを有する中空容器本体１０が準備される。この実施の形態において中空容器本体１０はもう１つの開口した筒状部１０ｂを有する略円筒形状をしており、例えば紙のような製造やリサイクルや廃棄が容易である材料を主体として形成されていて、内周面に例えばポリエチレンのようなプラスチック膜１１が被覆されている。
【００２２】
中空容器本体１０は、それに求められる機能に応じて種々の材料の積層構造とすることもできる。例えば、外周面を、外観保持や破損防止のために例えばポリエチレンのようなプラスチック膜で被覆することが出来るし、内周面のプラスチック膜１１の下地として中空容器本体１０の内部空間に収納される物体の酸化を防止するための例えばアルミ蒸着膜やＥＶＯＨ（エチレン酸ビニル共重合体懸架物）膜や無機材料膜などを被覆しておくことが出来る。
【００２３】
なお、この発明の理念に従えば、中空容器本体１０は少なくとも１つの開口した筒状部１０ａを備えていればどのような形状であっても良い。
【００２４】
第２には、図２の（Ａ）に水平断面図が、図２の（Ｂ）に拡大された側面図が示されている如く、第１の蓋素材１２の一面に中空容器本体１０の筒状部１０ａの開口OP１の径ｄ１よりも大きな径Ｄ１の非結合部１４を伴って第２の蓋素材１６を結合し、中空容器本体１０の筒状部１０ａの開口OP１の為の蓋部材の素材１８が準備される。
【００２５】
この実施の形態において第１の蓋素材１２は、前述の中空容器本体１０と同様に例えば紙のような製造やリサイクルや廃棄が容易である材料を主体に形成されているが、第２の蓋素材１６と対面する側の内側面には、前述の中空容器本体１０とは異なり、プラスチック膜１１が被覆されていない。
【００２６】
しかしながら第１の蓋素材１２もまた、それに求められる機能に応じて種々の材料の積層構造とすることもできる。例えば、第２の蓋素材１６とは反対側の外側面を、外観保持や破損防止のために例えばポリエチレンのようなプラスチック膜で被覆することが出来る。
【００２７】
第２の蓋素材１６は、それに求められる機能に応じて種々の単一材料または種々の材料の積層構造とすることができ、この実施の形態では、第１の蓋素材１２と対面する側の外側面に中空容器本体１０の内部空間に収納される物体の酸化を防止するための例えばアルミ蒸着膜やＥＶＯＨ（エチレン酸ビニル共重合体懸架物）膜や無機材料膜などを被覆した例えばポリエチレンのようなプラスチック膜により形成されている。
【００２８】
この実施の形態において第１の蓋素材１２と第２の蓋素材１６とは、非結合部１４を除き接着剤層の結合部２０により相互に結合されている。なお、図２の（Ａ）は、図２の（Ｂ）のＡ−Ａ水平断面線に従い第１の蓋素材１２と結合部２０との界面で第１の蓋素材１２を取り除き結合部２０とその下方の第２の蓋素材１６を示す水平断面図である。そして、、図２の（Ａ）では、結合部２０とその下方の第２の蓋素材１６とを区別して示す為に結合部２０をクロスハッチングしている。
【００２９】
さらにこの実施の形態において、結合部２０により相互に結合されている第１の蓋素材１２と第２の蓋素材１６とが構成している蓋部材のための素材１８は、図２の（Ａ）中に良く示されている如く、複数の非結合部１４がその長手方向に所定の間隔で直線状に並んで配置されている長尺の帯形状をしている。
【００３０】
この実施の形態では、図３中に示されている如く、中空容器本体１０のもう１つの筒状部１０ｂの開口OP２には、開口OP２の径ｄ２よりも大きな径を有したもう１つの蓋部材２２が押し込まれ開口OP２を閉塞した状態で開口OP２に固定される。
【００３１】
より詳細には、この実施の形態では、もう１つの蓋部材２２は、前述した中空容器本体１０と同様に、例えば紙のような製造やリサイクルや廃棄が容易である材料を主体として形成されていて、中空容器本体１０の内部空間に向いている内側面に例えばポリエチレンのようなプラスチック膜２３が被覆されている。
【００３２】
もう１つの蓋部材２２は、前述した中空容器本体１０と同様に、それに求められる機能に応じて種々の材料の積層構造とすることもできる。例えば、中空容器本体１０の内部空間とは反対側に向いている外側面を、外観保持や破損防止のために例えばポリエチレンのようなプラスチック膜で被覆することが出来るし、内側面のプラスチック膜２３の下地として中空容器本体１０の内部空間に収納される物体の酸化を防止するための例えばアルミ蒸着膜やＥＶＯＨ（エチレン酸ビニル共重合体懸架物）膜や無機材料膜などを被覆しておくことが出来る。
【００３３】
中空容器本体１０のもう１つの筒状部１０ｂの開口OP２に押し込まれたもう１つの蓋部材２２は、中空容器本体１０の開口OP２の周縁よりも外方に広がっている部分を上記外側面側に折り曲げて開口OP２に嵌合される。この結果、上記折り曲げられた部分２２ａの内側面がもう１つの筒状部１０ｂの内表面に対応され、さらにもう１つの筒状部１０ｂの外端部がもう１つの蓋部材２２の上記折り曲げられた部分２２ａの外端上に巻き掛けられる。そして、もう１つの蓋部材２２の上記折り曲げられた部分２２ａの内側面に対応しているもう１つの筒状部１０ｂの外端部の領域と上記折り曲げられた部分２２ａの外側面に対応しているもう１つの筒状部１０ｂの外端部の巻き掛け領域１０ｃとが上記折り曲げられた部分を挟持した状態で、もう１つの筒状部１０ｂの外端部のこれらの領域を全周に渡り加熱することで、もう１つの筒状部１０ｂの外端部の内周面のプラスチック膜１１がもう１つの蓋部材２２の上記折り曲げられた部分２２ａの内側面と外側面とに溶着する。図３中には、溶着部分が参照符号ＦＤにより指摘されている。
【００３４】
この結果、もう１つの蓋部材２２の上記折り曲げられた部分２２ａが、もう１つの筒状部１０ｂの外端部の開口ＯＰ２に固定される。
【００３５】
第３に、図２中に示されている長尺の蓋部材の素材１８から、個々の非結合部１４の周囲に第１の蓋素材１２と第２の蓋素材１６との結合部２０を残して非結合部１４を取り囲むよう切り取り蓋部材２４を準備する。ここにおいて、蓋部材の素材１８は長尺で複数の非結合部１４が素材１８の長手方向に配列されているので、機械により効率よく素材１８から複数の蓋部材２４を切り取ることが出来る。
【００３６】
図２の（Ａ）及び（Ｂ）には、長尺の蓋部材の素材１８から個々の非結合部１４を中心に蓋部材２４を切り取る際の切断線が参照符号１８ａにより指摘されている。
【００３７】
第４に、図４中に示されている如く、蓋部材２４を非結合部１４を中心にして中空容器本体１０の筒状部１０ａの開口ＯＰ１の周縁よりも外方に広がっている部分を第１の蓋素材１２側に折り曲げて開口ＯＰ１中の所定の位置に嵌合させ、非結合部１４の周囲の結合部２０を筒状部１０ａの内表面に対応させる。
【００３８】
第５に、中空容器本体１０の筒状部１０ａの開口ＯＰ１に嵌合された蓋部材２４の折り曲げ部分２４ａを筒状部１０ａの内表面に結合させる。
【００３９】
この実施の形態では、蓋部材２４の折り曲げ部分２４ａに対応している中空容器本体１０の筒状部１０ａの外周面の領域を全周に渡り加熱することで、蓋部材２４の折り曲げ部分２４ａに対応している中空容器本体１０の筒状部１０ａの内周面の所定の領域のプラスチック膜１１が蓋部材２４の折り曲げ部分２４ａの外側面（即ち、第２の蓋素材１６において折り曲げ部分２４ａに位置している領域の外側面）に溶着する。図３中には、溶着部分が参照符号ＦＤ’により指摘されている。
【００４０】
この結果、蓋部材２４の折り曲げられた部分２４ａが、筒状部１０ａの外端部の開口ＯＰ１中の所定の位置に固定される。
【００４１】
図４から明らかなように、中空容器本体１０の筒状部１０ａの内周面の所定の領域に上述した如く固定された蓋部材２４は、折り曲げ部分２４ａに囲まれた平坦な部分に非結合部１４が存在し、この平坦な部分において第１の蓋素材１２と第２の蓋素材１６とは相互に結合されていない。また、蓋部材２４の折り曲げ部分２４ａには、上記平坦な部分に隣接した領域に非結合部１４の周縁が位置していて、上記平坦な部分から遠い領域に非結合部１４とともに結合部２０から切り取られた接着剤層の一部２０’が存在している。そして、蓋部材２４の第１の蓋素材１２と第２の蓋素材１６とは、折り曲げ部分２４ａにおいて上記平坦な部分から遠い領域で結合部２０の接着剤層の一部２０’により相互に結合されている。
【００４２】
さらにこの実施の形態では、図５中に示されている如く、筒状部１０ａの外端部が蓋部材２４の折り曲げ部分２４ａの外端上に巻き掛けられる。そして、筒状部１０ａの外端部の巻き掛け領域１０ｄが全周に渡り加熱されることで、筒状部１０ａの外端部の巻き掛け領域１０ｄの内周面のプラスチック膜１１が蓋部材２４の折り曲げ部分２４ａの内側面（即ち、第１の蓋素材１２において折り曲げ部分２４ａに位置している領域の内側面）に溶着する。図５中には、溶着部分が参照符号ＦＤ’により指摘されている。
【００４３】
この結果、蓋部材２４の折り曲げられた部分２４ａに、筒状部１０ａの外端部の巻き掛け領域１０ｄが固定される。
【００４４】
第６に、上述した如く結合された中空容器本体１０の筒状部１０ａと蓋部材２４の折り曲げ部分２４ａの第２の蓋素材１６とに非結合部１４に対応させて筒状部１０ａの全周の少なくとも一部に渡り延出した強度弱化線ＣＬが形成される。
【００４５】
より詳細には、強度弱化線ＣＬは、この実施の形態において、筒状部１０ａの全周に渡り延出しており、ミシン目または非貫通切り裂き線により構成されている。
【００４６】
上述した如くして、この発明の第１の実施の形態に従った中空容器の製造方法により中空容器が製造されるが、中空容器の容器本体１０の２つの筒状部１０ａ，１０ｂの開口ＯＰ１，ＯＰ２の夫々に対する蓋部材２４，２２の固定は、いずれが先でもかまわないが、容器本体１０の内部空間に対する充填物の充填は、開口ＯＰ１，ＯＰ２のいずれか一方に対する蓋部材２４，２２のいずれか一方の嵌合及び固定が行なわれ、いずれか他方に対する蓋部材２４，２２のいずれか他方の嵌合及び固定が行なわれる以前に、開口ＯＰ１，ＯＰ２のいずれか他方を介して行なわれる。
【００４７】
図５中に示されている如く完成された中空容器を開封するには、強度弱化線ＣＬに沿い容器本体１０の筒状部１０ａの外端部を容器本体１０の筒状部１０ａの残りの部分に対しひねり、強度弱化線ＣＬを破壊する。
【００４８】
図６中に示されている如く、容器本体１０の筒状部１０ａの外端部の巻き掛け部分１０ｄが蓋部材２４の第１の蓋素材１２の折り曲げ部に溶着ＦＤ’により固定されており、第１の蓋素材１２の折り曲げ部は第２の蓋素材１６の折り曲げ部で強度弱化線ＣＬにより上記外端部に残された一部１６ａと結合部２０の一部２０’により結合されており、一部１６ａは溶着ＦＤ’により容器本体１０の筒状部１０ａの外端部に固定されている。従って、上述した如く破壊された強度弱化線ＣＬにより筒状部１０ａの残りの部分から分離された上記外端部には、蓋部材２４の第１の蓋素材１２の折り曲げ部が固定されている。
【００４９】
また、第２の蓋素材１６の折り曲げ部で強度弱化線ＣＬにより容器本体１０の筒状部１０ａの残りの部分に残された部分１６ｂは、溶着ＦＤ’により容器本体１０の筒状部１０ａの残りの部分に固定されている。従って、第２の蓋素材１６は、折り曲げ部により囲まれている平坦部により容器本体１０の筒状部１０ａの残りの部分の開口を閉塞している。第２の蓋素材１６の平坦部は、前述したように第１の蓋素材１２において折り曲げ部により囲まれている平坦部と非結合部１４を介して対面し、相互に結合されていない。
【００５０】
これらの理由から、強度弱化線ＣＬが破壊された後に、容器本体１０の筒状部１０ａの外端部は蓋部材２４の第１の蓋素材１２を伴い、容器本体１０の筒状部１０ａの残りの部分や上記残りの部分の開口を閉塞している第２の蓋素材１６から分離することが出来る。
【００５１】
この後に、容器本体１０の内部空間から充填物を取り出すには、第２の蓋素材１６を破壊して容器本体１０の筒状部１０ａの残りの部分の開口を介して中空容器の外部から容器本体１０の内部空間へのアクセスを可能とする。
【００５２】
この実施の形態の中空容器では、容器本体１０の内部空間へのアクセスの必要が無くなった時、図７中に示されている如く、蓋部材２４の第１の蓋素材１２を伴った容器本体１０の筒状部１０ａの外端部を、容器本体１０の筒状部１０ａの残りの部分の開口に戻すことが出来る。この場合、第１の蓋素材１２の折り曲げ部は強度弱化線ＣＬによる影響を受けておらず、強度弱化線ＣＬは容器本体１０の筒状部１０ａの残りの部分や第２の蓋素材１６の折り曲げ部において非結合部１４に対応した領域を破壊しているので、第１の蓋素材１２の折り曲げ部において平坦部に隣接した領域を、容器本体１０の筒状部１０ａの残りの部分の開口に嵌合させることが出来、上記開口を再閉塞することが出来る。
【００５３】
上記嵌合は、上記開口に残留している第２の蓋素材１６の折り曲げ部の残りに対する、あるいは上記開口の内周面に対する、第１の蓋素材１２の折り曲げ部における平坦部隣接領域の摩擦により開放可能に保持される。
【００５４】
なお、図７では、上記開口に残留している第２の蓋素材１６の折り曲げ部の残りと第１の蓋素材１２の折り曲げ部における平坦部隣接領域との間に隙間が生じているように描かれているが、これは第２の蓋素材１６の折り曲げ部の外端部と第１の蓋素材１２の折り曲げ部の外端部とが接着剤層２０の一部２０’により結合されている状態を明確に示す為であり、実際には上記２つの外端部は接着剤層２０の一部２０’により相互に隣接して密着している。
【００５５】
〔第１の実施の形態の第１の変形例〕
添付の図面中の図１乃至図７を参照しながら上述したこの発明の第１の実施の形態に従った中空容器及び中空容器の製造方法では、相互に結合された中空容器本体１０の筒状部１０ａと蓋部材２４の折り曲げ部分２４ａの第２の蓋素材１６とに、非結合部１４に対応させて筒状部１０ａの全周に渡り延出した強度弱化線ＣＬが形成されていたが、強度弱化線ＣＬは全周の一部を残して形成することが出来る。
【００５６】
図８はこのような、第１の実施の形態の第１の変形例の要部を示しており、ここにおいて前述の第１の実施の形態の構成部材と同じ構成部材には、第１の実施の形態の対応する構成部材を指摘していたのと同じ参照符号を付し詳細な説明は省略する。
【００５７】
そして上記第１の実施の形態の場合よりも強度弱化線ＣＬ’の強度は遥かに弱くするか、強度弱化線ＣＬ’を最初から完全に切断されたものとする。
【００５８】
そして、中空容器本体１０の筒状部１０ａの外端部において強度弱化線ＣＬ’に沿い強度弱化線ＣＬ’が形成されていない部分の反対側に位置する部分を上方に強く押し上げると、強度弱化線ＣＬ’の強度が弱められている場合には強度弱化線ＣＬ’の破損を伴い、また強度弱化線ＣＬ’が最初から完全に切断されていればそのまま、図８中に示されている如く、中空容器本体１０の筒状部１０ａの外端部をそこに固定されている蓋部材２４の第１の蓋素材１２とともに、中空容器本体１０の筒状部１０ａの残りの部分やこの残りの部分の開口を覆っている蓋部材２４の第２の蓋素材１６から分離するよう、上記強度弱化線ＣＬ’が形成されていない部分を蝶番のように機能させて矢印Ｘで示されているよう回動させることが出来る。
【００５９】
この結果、中空容器本体１０の筒状部１０ａの残りの部分の開口を覆っている蓋部材２４の第２の蓋素材１６が外部空間に露出され、中空容器本体１０の内部空間にアクセスする為に、前述した第１の実施の形態の場合と同様に、第２の蓋素材１６を破壊することが出来る。
【００６０】
この変形例の中空容器では、容器本体１０の内部空間へのアクセスの必要が無くなった時、図８中に示されている如く、蓋部材２４の第１の蓋素材１２を伴って容器本体１０の筒状部１０ａの残りの部分の開口から分離されている容器本体１０の筒状部１０ａの外端部を、上記強度弱化線ＣＬ’が形成されていない部分を蝶番のように機能させて矢印Ｘで示されているのとは反対方向に回動させることにより、容器本体１０の筒状部１０ａの残りの部分の開口に戻すことが出来る。この場合、第１の蓋素材１２の折り曲げ部は、前述した第１の実施の形態の場合と同様に、上記開口に嵌合し、上記開口を再閉塞することが出来る。
【００６１】
〔第１の実施の形態の第２の変形例〕
前述した第１の実施の形態の製造方法により製造された中空容器において、中空容器本体１０の内部空間に充填される充填物を外部空間の雰囲気から強固に保護する為に中空容器本体１０の筒状部１０ａの残りの部分やこの残りの部分の開口を覆っている蓋部材２４の第２の蓋素材１６を強固な材料で形成した場合、外部空間に露出された後の第２の蓋素材１６の破壊が難しくなることがある。この場合には、図９及び図１０中に示されている如く、第２の蓋素材１６に第２の蓋素材破壊補助手段２６を設けることが出来る。
【００６２】
そしてこの変形例では、第２の蓋素材破壊補助手段２６は、第２の蓋素材１６の非連結部１４に連結されていて第２の蓋素材１６から離れるよう引き上げられる引き上げ片２８により構成されている。なお、図９及び図１０中において、前述の第１の実施の形態の構成部材と同じ構成部材には、第１の実施の形態の対応する構成部材を指摘していたのと同じ参照符号を付し詳細な説明は省略する。
【００６３】
より詳細に説明すると、この実施の形態では、第２の蓋素材破壊補助手段２６の引き上げ片２８は、第２の蓋素材１６において強度弱化線ＷＬにより周囲が規定されている。第２の蓋素材１６の密封性が重要な場合、第２の蓋素材１６は気密を保つ為の機能性膜３１により裏打ちされていて、機能性膜３１は強度弱化線ＷＬを取り囲む領域ＮＡが第２の蓋素材１６に接着されていない。
【００６４】
あるいは上述したのと同様な場合、引き上げ片２８は第２の蓋素材１６の外側面に一端が固定された帯状部材であることが出来る。
【００６５】
引き上げ片２８は、前述の第１の実施の形態の図２中に示されている如く、第１の蓋素材１２と第２の蓋素材１６とを非結合部１４を伴い結合部の接着剤層２０’により相互に結合させて蓋部材２４の素材を準備した時、第２の蓋素材１６の非結合部１４に沿っている。従って、中空容器本体１０の筒状部１０ａの外端部がそこに固定されている蓋部材２４の第１の蓋素材１２を伴い強度弱化線ＣＬに沿い空容器本体１０の筒状部１０ａの残りの部分から分離された後に、筒状部１０ａの残りの部分の開口ＯＰ２を閉塞している蓋部材２４の第２の蓋素材１６から、引き上げ片２８の先端部または固定されていない他端部を指先で摘み引き上げる作業が困難になる。
【００６６】
この作業の困難さを解消するために、引き上げ片２８の先端部または固定されていない他端部に第２の蓋素材１６よりも柔軟である引き上げ補助片３０の一端部を固定しておくことが出来る。
【００６７】
図１０は、中空容器本体１０の筒状部１０ａの外端部がそこに固定されている蓋部材２４の第１の蓋素材１２を伴い強度弱化線ＣＬに沿い中空容器本体１０の筒状部１０ａの残りの部分から分離された後に、筒状部１０ａの残りの部分の開口ＯＰ２を閉塞している蓋部材２４の第２の蓋素材１６から、引き上げ片２８の先端部または固定されていない他端部の引き上げ補助片３０が指先で摘まれ、強度弱化線ＷＬに沿い引き上げられた状態を示している。この時、機能性膜３１が中空容器本体１０の内部空間の密封性を保持している。
【００６８】
この後さらに引き上げ片２８を引き上げることにより、第２の蓋素材１６の周縁は中空容器本体１０の内周面の開口近傍部位から引き剥がされ、中空容器本体１０の筒状部１０ａの開口が現われる。
【００６９】
〔第２の実施の形態〕
次に、この発明の第２の実施の形態に従った中空容器及び中空容器の製造方法について、添付の図面中の図１１及び図１２を参照しながら以下に詳細に説明する。しかしながら、第２の実施の形態に従った中空容器及び中空容器の製造方法の大部分の構成は、図１乃至図７を参照したこの発明の第１の実施の形態に従った中空容器及び中空容器の製造方法の大部分の構成と同じであり、第２の実施の形態の構成部材において前述した第１の実施の形態の構成部材と同じ構成部材には、前述した第１の実施の形態において対応する構成部材を指摘していた参照符号と同じ参照符号を付し、詳細な説明は省略する。
【００７０】
第２の実施の形態に従った中空容器及び中空容器の製造方法が前述した第１の実施の形態に従った中空容器及び中空容器の製造方法と異なっているのは、中空容器本体１０の筒状部１０ａに固定される蓋部材２４’の構成である。
【００７１】
第２の実施の形態の製造方法では、第１の蓋素材１２と第２の蓋素材１６とを接着剤層による結合部２０により相互に結合して蓋部材２４’の為の素材１８’を準備する時、第１の蓋素材１２と第２の蓋素材１６との間には、図１１中に示されている如く、中空容器本体１０の筒状部１０ａの開口ＯＰ１の周縁に実質的に等しい位置から上記開口の周縁よりも外方に所定距離離れた位置まで上記周縁に沿い環状に広がる非結合部１４’を伴う。従って、蓋部材２４’の為の素材１８’は、環状の非結合部１４’により囲まれた円形状の中央結合部２０’’を有する。
【００７２】
蓋部材２４’の為の素材１８’からは、前述の第１の実施の形態の場合と同様に、環状の非結合部１４’の周囲に第１の蓋素材１２と第２の蓋素材１６との結合部２０の接着剤層の一部２０’を残して非結合部１４’を取り囲むよう切り取り蓋部材２４’が準備される。
【００７３】
この後、蓋部材２４’は、図４及び図５を参照して前述した第１の実施の形態の蓋部材２４の場合と同様に、非結合部１４’に囲まれた中央結合部２０’’を中心にして中空容器本体１０の筒状部１０ａの開口ＯＰ１の周縁よりも外方に広がっている部分を第１の蓋素材１２側に折り曲げて開口ＯＰ１に嵌合され、非結合部１４’の周囲の結合部２０の接着剤層の一部２０’を筒状部１０ａの内表面に対応させた状態で、中空容器本体１０の筒状部１０ａの開口ＯＰ１に嵌合された蓋部材２４’の折り曲げ部分２４’ａが筒状部１０ａの内表面に結合される。
【００７４】
この結果、蓋部材２４’の折り曲げられた部分２４’ａが、筒状部１０ａの外端部の開口ＯＰ１中の所定の位置に固定される。
【００７５】
さらにこの実施の形態でも、図４及び図５を参照して前述した第１の実施の形態の蓋部材２４の場合と同様に、筒状部１０ａの外端部が蓋部材２４’の折り曲げ部分２４’ａの外端上に巻き掛けられる。
【００７６】
またさらに、この実施の形態でも、図４及び図５を参照して前述した第１の実施の形態の蓋部材２４の場合と同様に、上述した如く結合された中空容器本体１０の筒状部１０ａのみ、または筒状部１０ａと蓋部材２４’の折り曲げ部分２４’ａの第２の蓋素材１６と、に環状の非結合部１４に対応させて筒状部１０ａの全周の少なくとも一部に渡り延出した強度弱化線ＣＬが形成される。
【００７７】
より詳細には、強度弱化線ＣＬは、この実施の形態においても、筒状部１０ａの全周に渡り延出しており、ミシン目または非貫通切り裂き線により構成されている。
【００７８】
上述した如くして、この発明の第２の実施の形態に従った中空容器の製造方法により中空容器が製造されるが、中空容器の容器本体１０の２つの筒状部１０ａ，１０ｂの開口ＯＰ１，ＯＰ２の夫々に対する蓋部材２４’，２２の固定は、いずれが先でもかまわないが、容器本体１０の内部空間に対する充填物の充填は、開口ＯＰ１，ＯＰ２のいずれか一方に対する蓋部材２４’，２２のいずれか一方の嵌合及び固定が行なわれ、いずれか他方に対する蓋部材２４’，２２のいずれか他方の嵌合及び固定が行なわれる以前に、開口ＯＰ１，ＯＰ２のいずれか他方を介して行なわれる。
【００７９】
この実施の形態の蓋部材２４’では、第１の蓋素材１２と第２の蓋素材１６とが、環状の非結合部１４’により囲まれている接着剤層の中央結合部２０’’により、蓋部材２４’の折り曲げ部２４ａに取り囲まれている平坦部が相互に結合されている。
【００８０】
従って、強度弱化線ＣＬが中空容器本体１０の筒状部１０ａと蓋部材２４’の折り曲げ部分２４’ａの第２の蓋素材１６とに筒状部１０ａの全周に渡り延出している場合に、強度弱化線ＣＬを境にして、筒状部１０ａの外端部を中空容器本体１０の残りの部分に対し相対的に捻ったり上記残りの部分から遠ざかるよう外力を負荷すると、図１２の（Ａ）中に示されている如く、強度弱化線ＣＬは容易に切断され、また、蓋部材２４’の第２の蓋素材１６の折り曲げ部において筒状部１０ａの外端部の内周面の所定の位置に溶着ＦＤ’されていた部分が上記内周面の上記所定の位置から強制的に分離される。この結果、筒状部１０ａの外端部は蓋部材２４’の第１及び第２の蓋素材１２,１６を伴い、中空容器本体１０の残りの部分から分離され、上記残りの部分の開口を外部空間に開放し、中空容器本体１０の内部空間にアクセス可能となる。
【００８１】
また、強度弱化線ＣＬが中空容器本体１０の筒状部１０ａと蓋部材２４’の折り曲げ部分２４’ａの第２の蓋素材１６とに筒状部１０ａの全周の一部を残し延出している場合には、中空容器本体１０の筒状部１０ａの外端部において強度弱化線ＣＬ’に沿い強度弱化線ＣＬ’が形成されていない部分の反対側に位置する部分を上方に強く押し上げると、強度弱化線ＣＬ’の強度が弱められている場合には強度弱化線ＣＬ’の破損を伴い、また強度弱化線ＣＬ’が最初から完全に切断されていればそのままで、さらに図１２の（Ｂ）中に示されている如く、蓋部材２４’の第２の蓋素材１６の折り曲げ部において筒状部１０ａの外端部の内周面の所定の位置に溶着ＦＤ’されていた部分が上記内周面の上記所定の位置から強制的に分離される。
【００８２】
この結果、中空容器本体１０の筒状部１０ａの外端部をそこに固定されている蓋部材２４’の第１の蓋素材１２及び第２の蓋素材１６とともに、中空容器本体１０の筒状部１０ａの残りの部分から分離するよう、上記強度弱化線ＣＬ’が形成されていない部分を蝶番のように機能させて矢印Ｘで示されているよう回動させることが出来る。
【００８３】
そして、中空容器本体１０の筒状部１０ａの残りの部分の開口が外部空間に露出され、中空容器本体１０の内部空間にアクセス可能となる。
【００８４】
この実施の形態の中空容器では、容器本体１０の内部空間へのアクセスの必要が無くなった時、蓋部材２４’の第１の蓋素材１２及び第２の蓋素材１６を伴った容器本体１０の筒状部１０ａの外端部を、容器本体１０の筒状部１０ａの残りの部分の開口ＯＰ１に戻すことが出来る。
【００８５】
ここにおいて、図１２の（Ａ）のように、強度弱化線ＣＬが筒状部１０ａの全周に渡り切断されている場合には、第２の蓋素材１２の折り曲げ部において平坦部に隣接した領域を、容器本体１０の筒状部１０ａの残りの部分の開口ＯＰ１に嵌合させることが出来、上記開口を再閉塞することが出来る。
【００８６】
上記嵌合は、上記開口ＯＰ１に残留している溶着ＦＤ’の残りに対する、あるいは開口ＯＰ１の内周面に対する、第２の蓋素材１６の折り曲げ部における平坦部隣接領域の溶着ＦＤ’の摩擦により開放可能に保持される。
【００８７】
また、図１２の（Ｂ）のように、強度弱化線ＣＬ’が筒状部１０ａの全周に一部を残し切断されている場合には、蓋部材２４’の第１及び第２の蓋素材１２,１６を伴って容器本体１０の筒状部１０ａの残りの部分の開口ＯＰ１から分離されている容器本体１０の筒状部１０ａの外端部を、上記強度弱化線ＣＬ’が形成されていない部分を蝶番のように機能させて矢印Ｘで示されているのとは反対方向に回動させることにより、容器本体１０の筒状部１０ａの残りの部分の開口ＯＰ１に戻すことが出来る。この場合、第２の蓋素材１６の折り曲げ部は、前述した場合と同様に、上記開口に嵌合し、上記開口を再閉塞することが出来る。
【００８８】
なお上述した第２の実施の形態では、強度弱化線ＣＬ’は容器本体１０の筒状部１０ａの外端部ばかりでなく蓋部材２４’の第２の蓋素材１６の折り曲げ部まで到達していたが、容器本体１０の筒状部１０ａの外端部のみに形成されていても良い。
【００８９】
また、図１２の（Ａ）及び（Ｂ）に示した２つの例において、容器本体１０の筒状部１０ａの外端部を強度弱化線ＣＬ’を境にして筒状部１０ａの残りからより容易に分離可能とするように、前述の第１の実施の形態の図９及び図１０中に示されていた第２の変形例において第２の蓋素材１６に設けられていたのと同様な構成の引き上げ片を、第１の蓋素材１２に設けることも出来る。但し、この場合に第１の蓋素材１２に設けられた引き上げ片は、第１の蓋素材１２を破損させる目的で使用されるものではないので、第１の蓋素材１２から引きちぎられないよう構成する必要がある。
【００９０】
また上述した種々の実施の形態及び種々の変形例では、第１の蓋素材１２と第２の蓋素材１６とを相互に結合するための結合部２０や中央結合部２０’’は接着剤層により構成されていたが、第１の蓋素材１２と第２の蓋素材１６の相互の対向面が溶着可能な材料で構成されていれば、溶着により構成することも出来る。
【００９１】
さらに、中空容器本体１０の筒状部１０ａに対する蓋部材２４，２４’の結合も、上述した種々の実施の形態及び種々の変形例では、溶着ＦＤ，ＦＤ’により行なわれていたが、接着剤層により行なうことも出来る。
【００９２】
以上詳述したことから明らかなように、この発明に従った中空容器及び中空容器の製造方法は、より詳細には以下のように表現することも出来る。
【００９３】
１．開口した筒状部を有する中空容器本体と；
第１の蓋素材の一面に上記開口よりも大きな非結合部を伴って第２の蓋素材を結合し、上記非結合部の周囲に第1の蓋素材と第２の蓋素材との結合部を残して上記非結合部を取り囲むよう切り取られることにより形成されており、上記非結合部を中心にして中空容器本体の上記開口の周縁よりも外方に広がっている部分を第１の蓋素材側に折り曲げて上記開口に嵌合され、上記非結合部の周囲の上記結合部を上記筒状部の内表面に対応させた状態で上記開口に嵌合された折り曲げ部分を上記筒状部の内表面に結合されている蓋部材と；そして、
上述した如く結合された中空容器本体の上記筒状部と上記蓋部材の折り曲げ部分の第２の蓋素材とに上記非結合部に対応させて上記筒状部の全周の少なくとも一部に渡り延出して形成された強度弱化線と；
を備えており、
上記中空容器本体の内部空間には、上記開口に上記蓋部材が嵌合される以前に上記開口を介して充填物が充填される、ことを特徴とする中空容器。
【００９４】
２．上記蓋部材の折り曲げ部分には上記非結合部の周縁が存在しており、上記強度弱化線は上記折り曲げ部分の上記非結合部に対応して形成されている、ことを特徴とする上記１項に記載の中空容器。
【００９５】
３．上記蓋部材の上記第１の蓋素材と上記第２の蓋素材との結合、及び上記筒状部の内表面に対する上記蓋部材の折り曲げ部分の結合の少なくともいずれか一方は溶着により実行されている、ことを特徴とする上記１項又は２項に記載の中空容器。
【００９６】
４．上記第１の蓋素材と上記第2の蓋素材との結合、及び上記筒状部の内表面に対する上記蓋部材の折り曲げ部分の結合の少なくともいずれか一方は接着により実行されている、ことを特徴とする上記１項又は２項に記載の中空容器。
【００９７】
５．上記第２の蓋素材において上記非結合部には上記第２の蓋素材を破壊を容易にする為の破壊補助手段が設けられている、ことを特徴とする上記１項乃至４項のいずれか１項に記載の中空容器。
【００９８】
６．上記強度弱化線はミシン目または非貫通切り裂き線により構成されている、ことを特徴とする上記１項乃至５項のいずれか１項に記載の中空容器。
【００９９】
７．開口した筒状部を有する中空容器本体と；
第１の蓋素材の一面に上記開口の周縁に実質的に等しい位置から上記開口の周縁よりも外方に所定距離離れた位置まで上記周縁に沿い環状に広がる非結合部を伴って第２の蓋素材を結合し、上記非結合部の周囲に第１の蓋素材と第２の蓋素材との結合部を残して上記非結合部を取り囲むよう切り取られることにより形成され、上記非結合部に囲まれた結合部を中心にして中空容器本体の上記開口の周縁よりも外方に広がっている部分を第１の蓋素材側に折り曲げて上記開口に嵌合され、上記非結合部の周囲の結合部を上記筒状部の内表面に対応させた状態で上記開口に嵌合された折り曲げ部分を上記筒状部の内表面に結合されている蓋部材と；そして、
上述した如く結合された中空容器本体の上記筒状部または上記筒状部と上記蓋部材の折り曲げ部分の第２の蓋素材とに上記非結合部に対応させて上記筒状部の全周の少なくとも一部に渡り延出して形成された強度弱化線と；
を備えており、
上記中空容器本体の内部空間には、上記開口に上記蓋部材が嵌合される以前に上記開口を介して充填物が充填される、ことを特徴とする中空容器。
【０１００】
８．上記第１の蓋素材と上記第２の蓋素材との結合、及び上記筒状部の内表面に対する上記蓋部材の折り曲げ部分の結合の少なくともいずれか一方は溶着により実行されている、ことを特徴とする上記７項に記載の中空容器。
【０１０１】
９．上記第１の蓋素材と上記第２の蓋素材との結合、及び上記筒状部の内表面に対する上記蓋部材の折り曲げ部分の結合の少なくともいずれか一方は接着により実行されている、ことを特徴とする上記７項に記載の中空容器。
【０１０２】
１０．上記第１の蓋素材において上記非結合部に囲まれた結合部には上記第２の蓋素材とは反対側に上記結合部から引き離される引き上げ片が設けられている、ことを特徴とする上記７項乃至９項のいずれか１項に記載の中空容器。
【０１０３】
１１．筒状部を有する中空容器本体を準備する工程と；
第１の蓋素材の一面に上記開口よりも大きな非結合部を伴って第２の蓋素材を結合し、上記中空容器本体の上記開口の為の蓋部材の素材を準備する工程と；
上記素材を、上記非結合部の周囲に第１の蓋素材と第２の蓋素材との結合部を残して上記非結合部を取り囲むよう切り取り上記蓋部材を準備する工程と；
上記蓋部材を上記非結合部を中心にして中空容器本体の上記開口の周縁よりも外方に広がっている部分を第１の蓋素材側に折り曲げて上記開口に嵌合させ、上記非結合部の周囲の上記結合部を上記筒状部の内表面に対応させる工程と；
中空容器本体の上記開口に嵌合された上記蓋部材の折り曲げ部分を上記筒状部の内表面に結合させる工程と；そして、
上述した如く結合された中空容器本体の上記筒状部と上記蓋部材の折り曲げ部分の第２の蓋素材とに上記非結合部に対応させて上記筒状部の全周の少なくとも一部に渡り延出した強度弱化線を形成する工程と；
を備えており、
上記中空容器本体の内部空間には、上記開口に上記蓋部材が嵌合される以前に上記開口を介して充填物が充填される、ことを特徴とする中空容器の製造方法。
【０１０４】
１２．上記蓋部材の折り曲げ部分には上記非結合部の周縁が存在しており、上記強度弱化線は上記折り曲げ部分の上記非結合部に対応して形成されている、ことを特徴とする上記１１項に記載の中空容器の製造方法。
【０１０５】
１３．上記素材を準備する工程における上記第１の蓋素材と上記第２の蓋素材との結合、及び上記結合させる工程における上記筒状部の内表面に対する上記蓋部材の折り曲げ部分の結合の少なくともいずれか一方は溶着により実行されている、ことを特徴とする上記１１項又は１２項に記載の中空容器の製造方法。
【０１０６】
１４．上記素材を準備する工程における上記第１の蓋素材と上記第２の蓋素材との結合、及び上記結合させる工程における上記筒状部の内表面に対する上記蓋部材の折り曲げ部分の結合の少なくともいずれか一方は接着により実行されている、ことを特徴とする上記１１項又は１２項に記載の中空容器の製造方法。
【０１０７】
１５．上記第２の蓋素材において上記非結合部には上記第２の蓋素材の破壊を容易にする為の破壊補助手段が設けられている、ことを特徴とする上記１１項乃至１４項のいずれか１項に記載の中空容器の製造方法。
【０１０８】
１６．上記強度弱化線はミシン目または非貫通切り裂き線により構成されている、ことを特徴とする上記１１項乃至上記１５項のいずれか１項に記載の中空容器の製造方法。
【０１０９】
１７．開口した筒状部を有する中空容器本体を準備する工程と；
第１の蓋素材の一面に上記開口の周縁に実質的に等しい位置から上記開口の周縁よりも外方に所定距離離れた位置まで上記周縁に沿い環状に広がる非結合部を伴って第２の蓋素材を結合し、上記中空容器本体の上記開口の為の蓋部材の素材を準備する工程と；
上記素材を、上記非結合部の周囲に第１の蓋素材と第２の蓋素材との結合部を残して上記非結合部を取り囲むよう切り取り上記蓋部材を準備する工程と；
上記蓋部材を上記非結合部に囲まれた結合部を中心にして中空容器本体の上記開口の周縁よりも外方に広がっている部分を第１の蓋素材側に折り曲げて上記開口に嵌合させ、上記非結合部の周囲の結合部を上記筒状部の内表面に対応させる工程と；
中空容器本体の上記開口に嵌合された上記蓋部材の折り曲げ部分を上記筒状部の内表面に結合させる工程と；そして、
上述した如く結合された中空容器本体の上記筒状部または上記筒状部と上記蓋部材の折り曲げ部分の第２の蓋素材とに上記非結合部に対応させて上記筒状部の全周の少なくとも一部に渡り延出した強度弱化線を形成する工程と；
を備えており、
上記中空容器本体の内部空間には、上記開口に上記蓋部材が嵌合される以前に上記開口を介して充填物が充填される、ことを特徴とする中空容器の製造方法。
【０１１０】
１８．上記素材を準備する工程における上記第１の蓋素材と上記第２の蓋素材との結合、及び上記結合させる工程における上記筒状部の内表面に対する上記蓋部材の折り曲げ部分の結合の少なくともいずれか一方は溶着により実行されている、ことを特徴とする上記１７項に記載の中空容器の製造方法。
【０１１１】
１９．上記素材を準備する工程における上記第１の蓋素材と上記第２の蓋素材との結合、及び上記結合させる工程における上記筒状部の内表面に対する上記蓋部材の折り曲げ部分の結合の少なくともいずれか一方は接着により実行されている、ことを特徴とする上記１７項に記載の中空容器の製造方法。
【０１１２】
２０．上記第１の蓋素材において上記非結合部に囲まれた結合部には上記第２の蓋素材とは反対側に上記結合部から引き離される引き上げ片が設けられている、ことを特徴とする上記１７項乃至１９項のいずれか１項に記載の中空容器の製造方法。
【０１１３】
【発明の効果】
以上詳述したことから明らかなように、この発明に従った中空容器は、この中空容器を製造する製造方法の構成を前述した如き従来の製造方法に比べ簡易にすることが出来、製造コストが安くなる。また、この発明に従った中空容器の製造方法は、前述した如き従来の製造方法に比べ構成が簡易となり、この発明に従った中空容器の製造方法により製造される中空容器の製造コストを安くする。
【図面の簡単な説明】
【図１】この発明の第１の実施の形態に従った中空容器の製造方法において準備された開口した筒状部を２つ有する中空容器本体の縦断面図である。
【図２】（Ａ）は、この発明の第１の実施の形態に従った中空容器の製造方法において準備された、非結合部を伴い結合された第１及び第２の蓋素材により構成されている蓋部材の素材を、説明の為に第１の蓋素材を除き示す平面図であり；そして、（Ｂ）は、図２の（Ａ）の蓋部材の素材を図２の（Ａ）の水平断面線Ａ−Ａと共に示す側面図である。
【図３】この発明の第１の実施の形態に従った中空容器の製造方法において、図１の中空容器の１つの筒状部の開口が図２の蓋部材の素材とは無関係の蓋部材により閉塞された様子を示す縦断面図である。
【図４】この発明の第１の実施の形態に従った中空容器の製造方法において、図３の中空容器のもう１つの筒状部の開口に図２の蓋部材の素材から切り取られた蓋部材が嵌合されて所定位置に固定された様子を示す縦断面図である。
【図５】この発明の第１の実施の形態に従った中空容器の製造方法において、図４の中空容器のもう１つの筒状部の開口に固定された蓋部材がもう１つの筒状部の外端部の巻き込みによりさらに強固に固定され、また上記外端部の外周面に強度弱化線が形成された様子を示す縦断面図である。
【図６】この発明の第１の実施の形態に従った中空容器の製造方法により製造された中空容器において、図５の中空容器のもう１つの筒状部の外端部が強度弱化線に沿い切断されて、上記筒状部の残りの部分の開口に蓋部材の第２の素材を残し、蓋部材の第１の素材とともに上記残りの部分の開口から分離された様子を示す縦断面図である。
【図７】この発明の第１の実施の形態に従った中空容器の製造方法により製造された中空容器において、図６中に示されていた如く中空容器のもう１つの筒状部の残りの部分の開口から分離されていた筒状部の外端部が蓋部材の第１の素材とともに上記残りの部分の開口に戻され上記開口を閉塞した様子を示す縦断面図である。
【図８】この発明の第１の実施の形態の第１の変形例に従った中空容器の製造方法により製造された中空容器において、中空容器のもう１つの筒状部の外端部が強度弱化線に沿い分離されて、上記筒状部の残りの部分の開口に蓋部材の第２の素材を残し、蓋部材の第１の素材とともに上記残りの部分の開口から蝶番のように回動されて上記開口を開放した様子を示す縦断面図である。
【図９】（Ａ）は、この発明の第１の実施の形態の第２の変形例に従った中空容器の製造方法において準備された、破壊補助手段が設けられた非結合部を伴い結合された第１及び第２の蓋素材により構成されている蓋部材の素材を、説明の為に第１の蓋素材を除き示す平面図であり；そして、（Ｂ）は、図９の（Ａ）の蓋部材の素材を図９の（Ａ）の水平断面線Ａ−Ａと共に示す側面図である。
【図１０】この発明の第１の実施の形態の第２の変形例に従った中空容器の製造方法により製造された中空容器において、中空容器のもう１つの筒状部の外端部が強度弱化線に沿い切断されて、上記筒状部の残りの部分の開口に蓋部材の第２の素材を残し、蓋部材の第１の素材とともに上記残りの部分の開口から分離された後に、第２の素材が非結合部の破壊補助手段により破壊された様子を示す縦断面図である。
【図１１】（Ａ）は、この発明の第２の実施の形態に従った中空容器の製造方法において準備された、環状の非結合部を伴い結合された第１及び第２の蓋素材により構成されている蓋部材の素材を、説明の為に第１の蓋素材を除き示す平面図であり；そして、（Ｂ）は、図１１の（Ａ）の蓋部材の素材を図１１の（Ａ）の水平断面線Ａ−Ａと共に示す側面図である。
【図１２】（Ａ）は、この発明の第２の実施の形態の一例に従った中空容器の製造方法により製造された中空容器において、中空容器のもう１つの筒状部の外端部が強度弱化線に沿い切断されて、蓋部材の第１及び第２の素材とともに上記残りの部分の開口から分離された様子を示す縦断面図であり；そして、
（Ｂ）は、この発明の第２の実施の形態のもう一例に従った中空容器の製造方法により製造された中空容器において、中空容器のもう１つの筒状部の外端部が強度弱化線に沿い切断されて、蓋部材の第１及び第２の素材とともに上記残りの部分の開口から分離された様子を示す縦断面図である。
【符号の説明】
１０  中空容器本体
１０ａ  筒状部
１２  第１の蓋素材
１４,１４’  非結合部
１６  第２の蓋素材
１８,１８’  素材
２０  結合部
２０’  一部
２０’’  中央結合部
２４,２４’  蓋部材
２４ａ,２４’ａ  折り曲げ部
２６  破壊補助手段
２８  引き上げ片
ＯＰ１  開口
ＦＤ’  溶着
ＣＬ,ＣＬ’  強度弱化線
【図１】
0004576712.tif 000002
【図２】
0004576712.tif 000003
【図３】
0004576712.tif 000004
【図４】
0004576712.tif 000005
【図５】
0004576712.tif 000006
【図６】
0004576712.tif 000007
【図７】
0004576712.tif 000008
【図８】
0004576712.tif 000009
【図９】
0004576712.tif 000010
【図１０】
0004576712.tif 000011
【図１１】
0004576712.tif 000012
【図１２】
0004576712.tif 000013